(57)【要約】【課題】パスワードを長くせず、手数がかからず、定期的にパスワード変更するというパスワードの管理の必要もなく、パスワード機能を強化することのできる、セキュリティの高い情報処理装置のパスワード認証システムを提供することを目的とする。【解決手段】パスワード定義部２０１に対して、固定文字列２０２、外部変数２０３、アイコン情報２０４が入力される。固定文字列２０２は使用者が任意に決めることができる。外部変数２０３は情報処理装置のセンサー、例えば情報処理装置がＡＣ駆動であるかＤＣ駆動であるかの情報や、情報処理装置が持つカレンダー情報のことである。アイコン情報２０４は外部変数２０３のカテゴリを示すアイコンで、使用者により独自に登録が可能である。これらの情報によりパスワードを定義し、その内容をパスワード定義保存部２０５に保管する。【選択図】図２
2007164232.tif 000002
【特許請求の範囲】
【請求項１】
任意に指定可能な固定文字列と、情報処理装置自身の状態データから決定される複数の外部変数と、前記外部変数のカテゴリに合わせて表示される複数のアイコン情報を組み合わせてパスワードとして定義するパスワード定義部と、前記定義されたパスワードを保存するパスワード定義保存部とを備え、前記パスワード定義保存部に保存されたパスワードと情報処理装置の起動のため入力されたパスワードとの一致により起動確認を行う情報処理装置のパスワード認証システム。
【請求項２】
パスワードの定義はパスワード定義画面上で行い、複数の外部変数をパスワードの一部に指定でき、その外部変数のカテゴリを示すアイコンを指定できる機能を備えた請求項１記載の情報処理装置のパスワード認証システム。
【請求項３】
パスワードの入力確認を行うパスワード入力画面上にて、指定された外部変数のカテゴリを示すアイコンを表示する機能を備えた請求項１記載の情報処理装置のパスワード認証システム。
【請求項４】
外部変数に月日データを用いることを特徴とする請求項１乃至請求項３のいずれかに記載の情報処理装置のパスワード認証システム。
【請求項５】
外部変数に情報処理装置がＡＣ駆動かＤＣ駆動かの情報を用いることを特徴とする請求項１乃至請求項３のいずれかに記載の情報処理装置のパスワード認証システム。
【発明の詳細な説明】
【技術分野】
【０００１】
本発明はパーソナルコンピュータ等の情報処理装置のユーザを特定するために、パスワードを入力することで認証する、情報処理装置におけるパスワード認証システムに関するものである。
【背景技術】
【０００２】
近年、パーソナルコンピュータ等の情報処理装置の高速化・その記憶装置の大容量化により、情報処理装置には多くの各種データが保有されるようになり、データに対する不正アクセスを防止するため、その情報処理装置の使用時、使用者の個人確認を行うセキュリティ機能は益々重要になってきている。従来の情報処理装置のセキュリティ機能としては使用者の個人認証する機能としては文字列を使用したパスワードや、個人の生物的な特徴（例えば、指紋や虹彩パターンなど）を使用したバイオメトリックス認証などが使用されている。また、例えば特許文献１のように、２段階にパスワードを入力させるものもあった。
【特許文献１】特開２００１−３４６２５７号公報
【発明の開示】
【発明が解決しようとする課題】
【０００３】
しかしながら、上記従来の構成において、パスワード方式は簡単に実現できるが、セキュリティ機能を向上させた複雑、かつ、一定間隔で変化するようなパスワードを実現するには、使用者にとっては長いパスワードを覚えなければならないとか、特許文献１のように段階的に入力しなければならないとか、定期的にパスワード変更するというパスワードの管理が困難という問題があった。また、バイオメトリックスを使用した認証システムでは、専用のデバイスが必要であり、かつ、指紋や虹彩パターンなどの認識率が１００％には至らず、使用者が確実にログインできないとか、別の人が成りすましてログインすることが可能であるという課題を有していた。
【０００４】
本発明は、上記従来の課題を解決するもので、パスワードを長くせず、手数がかからず、定期的にパスワード変更するというパスワードの管理の必要もなく、パスワード機能を強化することのできる情報処理装置のパスワード認証システムを提供することを目的とする。
【課題を解決するための手段】
【０００５】
上記従来の課題を解決するために、本発明の情報処理装置のパスワード認証システムは、パスワード定義画面で複数の外部変数をパスワードの一部として指定でき、その外部変数のカテゴリを示すアイコンを指定できる機能を備え、また、パスワード入力画面にて、指定された外部変数のカテゴリを示すアイコンを表示する機能を備えた情報処理装置で、起動毎にランダムに外部変数をパスワードに組み込み、その組み込んだ外部変数のカテゴリを示すアイコンをパスワード入力画面に表示するように構成したものである。
【０００６】
本構成によって、情報処理装置の起動ごとにパスワードが自動的に変更されるが、パスワード定義を行った使用者のみがアイコンを見ることで、簡単にパスワードの入力を行い、本情報処理装置を起動することができるようにしたものである。
【発明の効果】
【０００７】
本発明の情報処理装置のパスワード認証システムによれば、情報処理装置から生成される外部変数をパスワードの一部に使用し、その外部変数のカテゴリをパスワード入力画面にアイコンとして表示することで、本人のみ入力可能なパスワードを実現することができ、かつ、周期的に変更することができ、これにより、セキュリティの高いパスワード認証システムを構築することができる。
【発明を実施するための最良の形態】
【０００８】
以下、本発明を実施するための最良の形態について、図面を参照しながら説明する。
【０００９】
（実施の形態１）
図１は、一般的なパーソナルコンピュータ等の情報処理装置の構成図で、図２は本発明の一実施の形態の情報処理装置のパスワード認証システムを示すブロック図、図３はパスワードの定義の例を示す説明図、図４はパスワード入力画面の構成例を示す図、図５は情報処理装置の起動時の手順を示すフローチャートである。
【００１０】
図１において、１０１はパスワードの入力部で、キーボード等が相当する。１０２は本体部で、情報処理装置の制御部などの他にパスワードの定義部や保存部を持っている。１０３は表示部で、本体部からのデータを表示したり、情報処理装置の起動時にパスワードの入力を表示する。
【００１１】
図２において、パスワード定義部２０１に対して、固定文字列２０２、外部変数２０３、アイコン情報２０４が入力される。固定文字列２０２は使用者が任意に決めることができる。外部変数２０３は情報処理装置のセンサー、例えば情報処理装置がＡＣ駆動であるかＤＣ駆動であるかの情報や、情報処理装置が持つカレンダー情報のことである。アイコン情報２０４は外部変数２０３のカテゴリを示すアイコンで、使用者により独自に登録が可能である。これらの情報によりパスワードを定義し、その内容をパスワード定義保存部２０５に保管する。
【００１２】
図３はパスワードの定義の具体例を示すもので、外部変数を２つ定義し、それぞれにアイコンＡ、アイコンＢを割り付けている。パスワードの定義は固定文字列、外部変数１、外部変数２の組み合わせで構成される。固定文字列は使用者によって決定された４文字で、外部変数１は月日の４文字、例えば４月１日であれば“０４０１”となる。外部変数２は電力供給状態を示す１文字となっており、例えばＡＣ駆動時であれば“０”、ＤＣ駆動時であれば“１”であることを示している。また、パスワード入力画面にてアイコンが表示され、その表示順番によって生成されるパスワードを４パターン定義している。外部変数は起動時の状況に合わせた値が決定される。
【００１３】
図４はパスワード入力画面の構成例を示すもので、パスワード入力画面４０１の画面上部に２箇所のアイコン表示領域４０２、４０３があり、下部にはパスワード入力領域４０４がある。
【００１４】
以上のように構成された情報処理装置のパスワード認証システムについて、その手順を図５のフローチャートに基づいて説明する。
【００１５】
図５において、
（ＳＴ５０１）情報処理装置の電源がオンされる。
（ＳＴ５０２）パスワード定義保存部２０５よりパスワード定義が読み出される。
（ＳＴ５０３）乱数情報により、固定文字列２０２、外部変数２０３の組み合わせを
決定する。そして、外部変数２０３の値を外部デバイスより読み取り、パスワードを決定する。
（ＳＴ５０４）乱数情報により決定された固定文字列、外部変数の組み合わせの順番                  に従って、外部変数のカテゴリを表示するアイコンをパスワード入力                  画面に表示する。
（ＳＴ５０５）使用者はパスワード入力画面に表示されたアイコンより、その値を表
示されている順番に、パスワード入力部に入力する。
（ＳＴ５０６）入力されたパスワードの（ＳＴ５０３）で決定されたパスワードの値
を比較する。一致した場合は（ＳＴ５０７）に、不一致の場合は（ＳＴ５０５）に移動する。
（ＳＴ５０７）パスワードが一致したので情報処理装置を起動させる。
【００１６】
このように、情報処理装置から生成される外部変数をパスワードの一部に使用し、その外部変数のカテゴリをパスワード入力画面にアイコンとして表示することで、本人のみ入力可能なパスワードとして実現することができる。また、パスワードは外部変数を月日とすることなどにより周期的に変更することもでき、これにより、セキュリティの高い情報処理装置のパスワード認証システムを構築することができる。
【産業上の利用可能性】
【００１７】
本発明にかかる情報処理装置のパスワード認証システムは、情報処理装置から生成される外部変数をパスワードの一部に使用し、その外部変数のカテゴリをパスワード入力画面にアイコンとして表示することで、本人のみ入力可能なパスワードを実現することができ、かつ、周期的に変更することもでき、セキュリティ度の高いパスワード認証システムを構築することが可能になるので、パスワード機能の複雑さ、および、周期性を持ちつつも入力が容易な情報処理装置等として有用である。
【図面の簡単な説明】
【００１８】
【図１】一般的な情報処理装置の構成図
【図２】本発明の一実施の形態における情報処理装置のパスワード認証システムを示すブロック図
【図３】本発明の一実施の形態におけるパスワードの定義の例を示す説明図
【図４】本発明の一実施の形態におけるパスワード入力画面の構成例を示す図
【図５】本発明の一実施の形態における情報処理装置の起動時の手順を示すフローチャート
【符号の説明】
【００１９】
１０１  入力部
１０２  本体部
１０３  表示部
２０１  パスワード定義部
２０２  固定文字列
２０３  外部変数（センサーデータ・カレンダーデータ）
２０４  アイコン情報
２０５  パスワード定義保存部
４０１  パスワード入力画面
４０２  アイコンＡの表示領域
４０３  アイコンＢの表示領域
４０４  パスワード入力領域
【図１】
2007164232.tif 000003
【図２】
2007164232.tif 000004
【図３】
2007164232.tif 000005
【図４】
2007164232.tif 000006
【図５】
2007164232.tif 000007